(57)【特許請求の範囲】
【請求項１】
鉄骨軸組構造体において上下に並行する横架材間に、仮想軸線上に一致して垂直に立設される柱相当軸組材が、水平断面が矩形状の管体からなり、同管体の水平断面の仮想対角線の少なくとも何れか一方が、下位横架材の梁間方向または桁行方向の何れか一方に一致する向きとされ、該下位横架材から、仮想軸線上に一致する垂直立設姿勢に延伸し、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から、仮想軸線上に一致する鉛直垂下姿勢に延伸し、先端寄りに鎧枠結合範囲が設定されてなる下向き鋼管短柱との間を、それら双方の短柱の鎧枠結合範囲の外周壁の全周囲を、互いに縦筒状を成すよう組み合わされて囲む複数本の縦鎧枠の下端がわは、当該上向き鋼管短柱に結合、一体化され、それら複数本の縦鎧枠の上端がわは、当該下向き鋼管短柱に結合、一体化してなるものとされ、これら上向き鋼管短柱、下向き鋼管短柱および複数本の縦鎧枠により、鉄骨軸組構造体における柱相当軸組材が構成されてなるものとしたことを特徴とする鉄骨軸組構造建造物。
【請求項２】
鉄骨軸組構造体において上下に並行する横架材間に、仮想軸線上に一致して垂直に立設される柱相当軸組材が、水平断面が矩形状の管体からなり、同管体の水平断面の仮想対角線の少なくとも何れか一方が、下位横架材の梁間方向または桁行方向の何れか一方に一致する向きとされ、該下位横架材から該柱相当軸組材の全長寸法の１／２ないし１／１０に設定され、同下位横架材に対し仮想軸線上に一致する垂直立設姿勢に一体化され、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から該柱相当軸組材の全長寸法の１／２ないし１／１０に設定され、同上位横架材に対し仮想軸線上に一致する鉛直垂下姿勢に一体化され、先端寄りに鎧枠結合範囲が設定されてなる下向き鋼管短柱との間を、それら双方の上向き鋼管短柱および下向き鋼管短柱の鎧枠結合範囲の外周壁の全周囲を、互いに縦筒状を成すよう組み合わされて囲む複数本の縦鎧枠の下端がわは、当該上向き鋼管短柱の鎧枠結合範囲に結合、一体化され、それら複数本の縦鎧枠の上端がわは、当該下向き鋼管短柱の鎧枠結合範囲に結合、一体化してなるものとされ、これら上向き鋼管短柱、下向き鋼管短柱および複数本の縦鎧枠により、鉄骨軸組構造体における柱相当軸組材が構成されてなるものとしたことを特徴とする鉄骨軸組構造建造物。
【請求項３】
鉄骨軸組構造体において梁間方向または桁行方向の何れか一方に向けられ、上下に並行する横架材間に、仮想軸線上に一致して垂直に立設される柱相当軸組材が、水平断面が矩形状の管体からなり、同管体の水平断面の仮想対角線の少なくとも何れか一方が、下位横架材の梁間方向または桁行方向の何れか一方に一致する向きとされ、該下位横架材から該柱相当軸組材の全長寸法の１／２ないし１／１０に設定され、同下位横架材に対し仮想軸線上に一致する垂直立設姿勢に一体化され、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から該柱相当軸組材の全長寸法の１／２ないし１／１０に設定され、同上位横架材に対し仮想軸線上に一致する鉛直垂下姿勢に一体化され、先端寄りに鎧枠結合範囲が設定されてなる下向き鋼管短柱との間を、それら双方の上向き鋼管短柱および下向き鋼管短柱の鎧枠結合範囲の外周壁の全周囲を、互いに縦筒状を成すよう組み合わされて囲む複数本の縦鎧枠の下端がわは、当該上向き鋼管短柱の鎧枠結合範囲に結合、一体化され、それら複数本の縦鎧枠の上端がわは、当該下向き鋼管短柱の鎧枠結合範囲に結合、一体化してなるものとされ、これら上向き鋼管短柱、下向き鋼管短柱および複数本の縦鎧枠により、鉄骨軸組構造体における柱相当軸組材が構成され、隣り合って配された柱相当軸組材間に設けられることとなる四角形壁面の仮想対角線上に対応する、該上向き鋼管短柱および該下向き鋼管短柱の互いの鎧枠結合範囲よりも基端寄りとなる位置の間に垂直筋交いが掛け渡し結合されてなるものとしたことを特徴とする鉄骨軸組構造建造物。
【請求項４】
鉄骨軸組構造体において梁間方向または桁行方向の何れか一方に向けられ、上下に並行する横架材間に、仮想軸線上に一致して垂直に立設される柱相当軸組材が、水平断面が矩形状の管体からなり、同角管の水平断面の仮想対角線の少なくとも何れか一方が、下位横架材の梁間方向または桁行方向の何れか一方に一致する向きとされ、該下位横架材から該柱相当軸組材の全長寸法の１／２ないし１／１０に設定され、同下位横架材に対し仮想軸線上に一致する垂直立設姿勢に一体化され、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から該柱相当軸組材の全長寸法の１／２ないし１／１０に設定され、同上位横架材に対し仮想軸線上に一致する鉛直垂下姿勢に一体化され、先端寄りに鎧枠結合範囲が設定されてなる下向き鋼管短柱との間を、それら双方の上向き鋼管短柱および下向き鋼管短柱の鎧枠結合範囲の外周壁の全周囲を、互いに縦筒状を成すよう組み合わされて囲む複数本の縦鎧枠の下端がわは、当該上向き鋼管短柱の鎧枠結合範囲に結合、一体化され、それら複数本の縦鎧枠の上端がわは、当該下向き鋼管短柱の鎧枠結合範囲に結合、一体化してなるものとされ、これら上向き鋼管短柱、下向き鋼管短柱および複数本の縦鎧枠により、鉄骨軸組構造体における柱相当軸組材が構成され、同一平面上に隣接または並行された横架材間に水平筋交いが掛け渡し結合され、隣り合って配された柱相当軸組材間に設けられることとなる四角形壁面の仮想対角線上に対応する、該上向き鋼管短柱および該下向き鋼管短柱の互いの鎧枠結合範囲よりも基端寄りとなる位置の間に垂直筋交いが掛け渡し結合されてなるものとしたことを特徴とする鉄骨軸組構造建造物。
【請求項５】
横架材が、垂直なウェブ壁の上端に上フランジ壁、同ウェブ壁の下端に下フランジ壁を有するＨ型鋼横架材からなり、上向き鋼管短柱および下向き鋼管短柱が、正方形断面形状の管体からなり、４本の縦鎧枠が、夫々の少なくとも上下端に、上向き鋼管短柱または下向き鋼管短柱の何れか対応する一方の鎧枠結合範囲の外角に嵌合可能な平面Ｖ字断面形の嵌合枠部を有し、該嵌合枠部の水平方向の両端から、上向き鋼管短柱または下向き鋼管短柱の何れか一方の外壁面に対し直角姿勢となる補強壁部が、該嵌合枠部を含めると平面Ｗ字断面形となるよう延伸され、さらに、各補強壁部の水平方向の端から、該嵌合枠部が嵌合する上向き鋼管短柱または下向き鋼管短柱の何れか一方の角を通る対角線に平行姿勢となる壁材保持部が、該嵌合枠部の平面Ｖ字断面形の山折り方向に延伸されてなるものとされ、上向き鋼管短柱の先端寄りに設定された鎧枠結合範囲と、下向き鋼管短柱の先端寄りに設定された鎧枠結合範囲との間に掛け渡され、双方の各鎧枠結合範囲の正方形断面形状の外周壁の全周囲を囲むよう、着脱可能に結合されてなる、請求項１ないし請求項４何れか一記載の鉄骨軸組構造建造物。
【請求項６】
横架材が、垂直なウェブ壁の上端に上フランジ壁、同ウェブ壁の下端に下フランジ壁を有するＨ型鋼横架材からなり、上向き鋼管短柱および下向き鋼管短柱が、正方形断面形状の管体からなり、４本の縦鎧枠が、夫々の少なくとも上下端に、上向き鋼管短柱または下向き鋼管短柱の何れか対応する一方の鎧枠結合範囲の外角に嵌合可能な平面Ｖ字断面形の嵌合枠部を有し、該嵌合枠部の水平方向の両端から、上向き鋼管短柱または下向き鋼管短柱の何れか一方の外壁面に対し直角姿勢となる補強壁部が、該嵌合枠部を含めると平面Ｗ字断面形となるよう延伸され、さらに、各補強壁部の水平方向の端から、該嵌合枠部が嵌合する上向き鋼管短柱または下向き鋼管短柱の何れか一方の角を通る対角線に平行姿勢となる壁材保持部が、該嵌合枠部の平面Ｖ字断面形の山折り方向に延伸されてなるものとされ、上向き鋼管短柱の先端寄りに設定された鎧枠結合範囲と、下向き鋼管短柱の先端寄りに設定された鎧枠結合範囲との間に掛け渡され、双方の各鎧枠結合範囲の正方形断面形状の外周壁の全周囲を囲むよう、着脱可能に結合された上、隣接し互いに接合状となる各補強壁部同士が結合され、該４本の縦鎧枠同士が、上向き鋼管短柱および下向き鋼管短柱の双方の鎧枠結合範囲の正方形断面形状の外壁面を周回りに囲む、筒状のものとなるよう一体化されてなる、請求項１ないし請求項４何れか一記載の鉄骨軸組構造建造物。            
【発明の詳細な説明】
【技術分野】
【０００１】
この発明は、金属製の骨格を有する建造物を建設、提供する技術に関連するものであり、特に、工場で生産された横架材および柱相当軸組材が、建設敷地内に搬入され、組み合たてられてなる鉄骨軸組構造建造物を建設、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                        
【背景技術】
【０００２】
（着目点）
工場生産によって高精度且つ効率的に製造された金属製の土台、通柱、管柱、胴差や軒桁などの建築資材が、建設現場まで輸送され、それら金属製の建築資材の組み合わせによって建設された建築物は、一般に、垂直なウェブ壁の上端に上フランジ壁、同ウェブ壁の下端に下フランジ壁を有するＨ型鋼からなる土台、階間梁または天井梁などの横架材が設けられたものが有り、このようなＨ型鋼製の土台、階間梁または天井梁などの横架材の要所々々に対し、角鋼管製の通柱が、上下方向に縦貫するよう設置され、建築物の骨格の全体が一体化されたものとなっており、通柱の中途部に対し、Ｈ型鋼からなる、土台、階間梁または天井梁などの横架材の端部を高強度に結合できるよう、例えば、下記の特許文献１（１）に示されるような、Ｈ型鋼の上・下フランジ壁に対応する通柱の中途部外壁に対し、上・下ダイヤフラムが設けられたものが既に開発済みとなっている。
【０００３】
（従来の技術）
上述のように通柱の中途部外壁に対し、上・下ダイヤフラムが追加され、Ｈ型鋼の横架材の端部との結合強度が向上された構造の外に、例えば、下記の特許文献１（２）ないし１（６）に提案されているものに代表されるように、正方形断面形状に設定された角鋼管製であって、該角鋼管の正方形断面形状の仮想対角線が、建築物の梁間方向および桁行方向に平行となるよう、垂直姿勢に立設された通柱の中途部の外周壁の外角部分を含む範囲に対し、Ｈ型鋼からなる土台、階間梁または天井梁などの横架材の平面Ｖ字形に切り欠かれた端部が、直角となる水平姿勢に突き合わせられ、結合されたものとなり、それらが開発される以前までの正方形断面形状の角鋼管製の通柱の外側壁平面が、建築物の梁間方向および桁行方向に平行となるよう、垂直姿勢に立設されたものに比較して通柱の横架材に対する結合部の剛性が、より高められたものが知られている。
【０００４】
しかしながら、Ｈ型鋼からなる土台、階間梁または天井梁などの横架材に対し、通柱が上下に縦貫されたものは、対象となる建築物が高層化すると、通柱の長さ（高さ寸法）が大きくなり、建築資材の道路輸送が困難なものとなってしまう虞があるから、鉄工所などの工場にて生産される通柱は、予め道路輸送可能な長さの部品として製造され、設置現場まで輸送された後に、Ｈ型鋼からなる横架材に対して通柱が結合される構造とは別に、上下に分割された通柱をボルト・ナットや溶接などによって連結された構造を要するものとなり、製造工数および施工工数が増大し、効率的に生産および建設するのが困難なものになるという欠点を有するものであった。                                                            
【特許文献１】（１）特開２００５−５４３９４号公報    （２）特開平３−１４７９４６号公報    （３）特開平６−２８８００７号公報    （４）特開平７−４２２３５号公報    （５）特開２００４−２１８３９９号公報    （６）実開平２−７１７０１号公報
【発明の概要】
【発明が解決しようとする課題】
【０００５】
（問題意識）
上述したとおり、従前までに提案のある各種の柱・梁の構造は、何れも対象となる建築物が複数階のものになると通柱が長尺化してしまい、製造工場の作業スペースをより広く確保しなければならず、工場の製造効率および輸送効率を高める為、通柱を輸送し易い長さに分割されたものとすると、通柱の上下間接続部用の新たな部品が必要となり、製造工数および施工工数の増大に留まらず、部品の品質管理や在庫管理に要するコストが増加してしまうという新たな欠点が発生してしまい、より経済的な建設が困難なものとなっていたという実情に鑑み、工場における生産性を高め、建築資材の輸送コストを削減し、建設現場における建設コストをさらに削減できる上、対象となる建築物の剛性を高めることができる、新たな建築技術の開発の可能性を痛感するに至ったものである。
【０００６】
（発明の目的）
そこで、この発明は、プレハブ型の建築物の骨格用の部品の、工場生産性を高め、部品工場から施工場所までの輸送経費を節減し、しかも施工現場における建設工数を大幅に削減し、建築物の骨格の耐久強度を高めることができる新たな柱相当軸組材構造が組み込まれた鉄骨軸組構造建造物技術の開発はできないものかとの判断から、逸速くその開発、研究に着手し、長期に亘、試行錯誤と幾多の試作、実験とを繰り返してきた結果、今回、遂に新規な構造の鉄骨軸組構造建造物を実現化することに成功したものであり、以下では、図面に示すこの発明を代表する実施例と共に、その構成を詳述することとする。                                                                                                
【課題を解決するための手段】
【０００７】
（発明の構成）
図面に示すこの発明を代表する実施例からも明確に理解されるように、この発明の鉄骨軸組構造建造物は、基本的に次のような構成から成り立っている。
即ち、鉄骨軸組構造体において上下に並行する横架材間に、仮想軸線上に一致して垂直に立設される柱相当軸組材が、水平断面が矩形状の管体からなり、同管体の水平断面の仮想対角線の少なくとも何れか一方が、下位横架材の梁間方向または桁行方向の何れか一方に一致する向きとされ、該下位横架材から、仮想軸線上に一致する垂直立設姿勢に延伸し、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から、仮想軸線上に一致する鉛直垂下姿勢に延伸し、先端寄りに鎧枠結合範囲が設定されてなる下向き鋼管短柱との間を、それら双方の短柱の鎧枠結合範囲の外周壁の全周囲を、互いに縦筒状を成すよう組み合わされて囲む複数本の縦鎧枠の下端がわは、当該上向き鋼管短柱に結合、一体化され、それら複数本の縦鎧枠の上端がわは、当該下向き鋼管短柱に結合、一体化され、これら上向き鋼管短柱、下向き鋼管短柱および複数本の縦鎧枠により、鉄骨軸組構造体における柱相当軸組材が構成されてなるものとした構成を要旨とする鉄骨軸組構造建造物である。                                                                            
【０００８】
この基本的な構成からなる鉄骨軸組構造建造物は、より具体的に示すと、鉄骨軸組構造体において上下に並行する横架材間に、仮想軸線上に一致して垂直に立設される柱相当軸組材が、水平断面が矩形状の管体からなり、同管体の水平断面の仮想対角線の少なくとも何れか一方が、下位横架材の梁間方向または桁行方向の何れか一方に一致する向きとされ、該下位横架材から該柱相当軸組材の全長寸法の１／２ないし１／１０に設定され、同下位横架材に対し仮想軸線上に一致する垂直立設姿勢に一体化され、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から該柱相当軸組材の全長寸法の１／２ないし１／１０に設定され、同上位横架材に対し仮想軸線上に一致する鉛直垂下姿勢に一体化され、先端寄りに鎧枠結合範囲が設定されてなる下向き鋼管短柱との間を、それら双方の上向き鋼管短柱および下向き鋼管短柱の鎧枠結合範囲の外周壁の全周囲を、互いに縦筒状を成すよう組み合わされて囲む複数本の縦鎧枠の下端がわは、当該上向き鋼管短柱の鎧枠結合範囲に結合、一体化され、それら複数本の縦鎧枠の上端がわは、当該下向き鋼管短柱の鎧枠結合範囲に結合、一体化され、これら上向き鋼管短柱、下向き鋼管短柱および複数本の縦鎧枠により、鉄骨軸組構造体における柱相当軸組材が構成されてなるものとした構成を要旨とする鉄骨軸組構造建造物である。                                          
【０００９】
この基本的な構成からなる鉄骨軸組構造建造物は、その表現を変えて示すならば、鉄骨軸組構造体において梁間方向または桁行方向の何れか一方に向けられ、上下に並行する横架材間に、仮想軸線上に一致して垂直に立設される柱相当軸組材が、水平断面が矩形状の管体からなり、同管体の水平断面の仮想対角線の少なくとも何れか一方が、下位横架材の梁間方向または桁行方向の何れか一方に一致する向きとされ、該下位横架材から該柱相当軸組材の全長寸法の１／２ないし１／１０に設定され、同下位横架材に対し仮想軸線上に一致する垂直立設姿勢に一体化され、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から該柱相当軸組材の全長寸法の１／２ないし１／１０に設定され、同上位横架材に対し仮想軸線上に一致する鉛直垂下姿勢に一体化され、先端寄りに鎧枠結合範囲が設定されてなる下向き鋼管短柱との間を、それら双方の上向き鋼管短柱および下向き鋼管短柱の鎧枠結合範囲の外周壁の全周囲を、互いに縦筒状を成すよう組み合わされて囲む複数本の縦鎧枠の下端がわは、当該上向き鋼管短柱の鎧枠結合範囲に結合、一体化され、それら複数本の縦鎧枠の上端がわは、当該下向き鋼管短柱の鎧枠結合範囲に結合、一体化され、これら上向き鋼管短柱、下向き鋼管短柱および複数本の縦鎧枠により、鉄骨軸組構造体における柱相当軸組材が構成され、隣り合って配された柱相当軸組材間に設けられることとなる四角形壁面の仮想対角線上に対応する、該上向き鋼管短柱および該下向き鋼管短柱の互いの鎧枠結合範囲よりも基端寄りとなる位置の間に垂直筋交いが掛け渡し結合されてなるものとした構成からなる鉄骨軸組構造建造物となる。
【００１０】
より具体的には、鉄骨軸組構造体において梁間方向または桁行方向の何れか一方に向けられ、上下に並行する横架材間に、仮想軸線上に一致して垂直に立設される柱相当軸組材が、水平断面が矩形状の管体からなり、同角管の水平断面の仮想対角線の少なくとも何れか一方が、下位横架材の梁間方向または桁行方向の何れか一方に一致する向きとされ、該下位横架材から該柱相当軸組材の全長寸法の１／２ないし１／１０に設定され、同下位横架材に対し仮想軸線上に一致する垂直立設姿勢に一体化され、先端寄りに鎧枠結合範囲が設定されてなる上向き鋼管短柱と、水平断面が矩形状の管体からなり、同管体の水平断面の仮想対角線の少なくとも何れか一方が、上位横架材の梁間方向または桁行方向の何れか一方に一致する向きとされ、該上位横架材から該柱相当軸組材の全長寸法の１／２ないし１／１０に設定され、同上位横架材に対し仮想軸線上に一致する鉛直垂下姿勢に一体化され、先端寄りに鎧枠結合範囲が設定されてなる下向き鋼管短柱との間を、それら双方の上向き鋼管短柱および下向き鋼管短柱の鎧枠結合範囲の外周壁の全周囲を、互いに縦筒状を成すよう組み合わされて囲む複数本の縦鎧枠の下端がわは、当該上向き鋼管短柱の鎧枠結合範囲に結合、一体化され、それら複数本の縦鎧枠の上端がわは、当該下向き鋼管短柱の鎧枠結合範囲に結合、一体化され、これら上向き鋼管短柱、下向き鋼管短柱および複数本の縦鎧枠により、鉄骨軸組構造体における柱相当軸組材が構成され、同一平面上に隣接または並行された横架材間に水平筋交いが掛け渡し結合され、隣り合って配された柱相当軸組材間に設けられることとなる四角形壁面の仮想対角線上に対応する、該上向き鋼管短柱および該下向き鋼管短柱の互いの鎧枠結合範囲よりも基端寄りとなる位置の間に垂直筋交いが掛け渡し結合されてなるものとした構成からなる鉄骨軸組構造建造物となる。            
【発明の効果】
【００１１】
以上のとおり、この発明の鉄骨軸組構造建造物によれば、従前までのものとは違い、上記したとおりの固有の特徴ある構成から、プレハブ型の鉄骨軸組構造建造物の骨格用の部品の、工場における製造精度および生産性を高め、複数階を貫く通柱を不要とし、上下に並行する横架材の下位横架材に対し、上向き鋼管短柱が垂直立設姿勢に一体化され、上位横架材に対し、下向き鋼管短柱が鉛直垂下姿勢に一体化され、上向き鋼管短柱と下向き鋼管短柱との間に、複数本の縦鎧枠が縦筒状に組み合わせられ、掛け渡されたものとしたから、個々の部品が小型化され、部品工場から施工場所までの輸送経費を大幅に節減し、しかも施工現場における建設工数を大きく削減し、鉄骨軸組構造建造物の骨格の耐久強度を格段に高めることができるものになるという秀でた特徴が得られるものである。
【００１２】
加えて、この発明の鉄骨軸組構造建造物は、各上向き鋼管短柱および各下向き鋼管短柱の夫々の上下方向の全長が、鉄骨軸組構造建造物の柱相当軸組材の全長寸法の１／２ないし１／１０に設定されたものとすることにより、横架材の外郭寸法を、鋼製横架材に対し、通柱が十字状に縦貫され、一体化された従来型の部品に比較して、遙かに小型化、軽量化することができるから、トラックによる部品輸送、および、クレーンによる部品の吊り下げ移動などの作業性を格段に高めたものとすることができる。
【００１３】
そして、この発明の鉄骨軸組構造体は、縦鎧枠が、嵌合枠部、補強壁部および壁材保持部を有し、複数本の縦鎧枠同士が筒状に組み合わせられることにより、上向き鋼管短柱と下向き鋼管短柱との間に架け渡し結合されるものとなっているから、部品工場および輸送に際し、部品同士を重ね合わせて収納、輸送することができ、従来型の鋼管製の通柱に比較して、保管および輸送のコストを大きく節減することができる上、壁材保持部が一体化されているから、鉄骨軸組構造建造物の鉄骨軸組構造体に対して壁材を組み込む場合に、取付け用の金具類を別途必要とすることなく、直接組み込むことができ、部品点数を大幅に削減できるものとなる。
【００１４】
また、この発明の鉄骨軸組構造体は、各上向き鋼管短柱および各下向き鋼管短柱の夫々の先端寄りに鎧枠結合範囲が設定されたものとされ、上下の鎧枠結合範囲間に複数本の縦鎧枠が、互いに縦筒状を成すよう組み合わされ、鉄骨軸組構造体における柱相当軸組材が構成され、隣り合って配された柱相当軸組材間に設けられることとなる四角形壁面の仮想対角線上に対応する、該上向き鋼管短柱および該下向き鋼管短柱の互いの基端寄りとなる位置の間に垂直筋交いが掛け渡し結合されてなるものとすることにより、鉄骨軸組構造建築物の鉄骨軸組構造体の耐久強度を大幅に高めたものとすることができ、さらに、同一平面上に隣接または並行された横架材間に水平筋交いが掛け渡し結合されたものとすることにより、複数本の横架材が組み合わせられてなる鉄骨軸組構造体の、部品同士の組み立て強度が格段に強化されたものとすることができる。
【００１５】
縦鎧枠が、夫々の少なくとも上下端に、上向き鋼管短柱および下向き鋼管短柱の何れか一方の鎧枠結合範囲の外角に嵌合可能な、平面Ｖ字断面形の嵌合枠部を有するものとされたものは、該縦鎧枠の嵌合枠部が、矩形断面を有する管製の上向き鋼管短柱および下向き鋼管短柱の何れか一方の鎧枠結合範囲の外角に強固に嵌合するから、上向き鋼管短柱、下向き鋼管短柱および複数本の縦鎧枠によって構成された鉄骨軸組構造体における柱相当軸組材が、該柱相当軸組材の仮想軸線回りの捻れに対する結合強度が格段に高められたものとなり、さらに耐久強度および剛性に優れた鉄骨軸組構造建造物を提供可能なものとすることができる外、上向き鋼管短柱および下向き鋼管短柱夫々の平面配置が、その水平断面形における対角線の一方を、土台や梁など横架材の軸線に合致または平行するよう規制して垂設、一体化し、それらに縦鎧枠で縦筒状を成すよう組み合わせ、一体化してなる鉄骨軸組構造体では、上向き鋼管短柱、下向き鋼管短柱、および縦鎧枠からなる、いわゆる柱相当軸組材が横架材配置に対して４５°ズレた配置となり、軸組構造体で構成される矩形構造において筋交い的強度を発揮し、構造物全体の強度を高める効果が期待できる。
【００１６】
この発明の鉄骨軸組構造建造物は、鉄骨軸組構造体の上層への組み上げにより、１階ないし複数階の何れの建造物をも組み立てることが可能であり、各階間に通柱が縦貫せず、各階毎に柱相当軸組材が設けられることとなり、クレーンを用いた輸送および部品の積み卸し作業や、建築作業などの安全性を高める上、建築工数および建築コストを格段に低減することができるものとなる。                                                                            
【発明を実施するための最良の形態】
【００１７】
上記したとおりの構成からなるこの発明の実施に際し、その最良もしくは望ましい形態について説明を加えることにする。
この発明における鉄骨軸組構造建造物は、工場生産された金属製の鉄骨軸組構造体の横架材および柱相当軸組材を含む建築資材が、鉄骨軸組構造建造物の施工敷地内に輸送され、該施工敷地内に打設された基礎上に、組み立てられた鉄骨軸組構造体を有してなるものであり、該鉄骨軸組構造体は、この発明に含まれる柱相当軸組材が少なくとも一箇所に組み込まれてなるものとしなければならない。
【００１８】
鉄骨軸組構造体は、鉄骨軸組構造建造物の一部を構成する機能を担い、この発明における横架材および柱相当軸組材の組み合わせからなるものとしなければならず、より具体的には、鉄骨軸組構造建造物の上下に並行する横架材間に立設される柱相当軸組材が、下位横架材から垂直立設姿勢に一体化されてなる上向き鋼管短柱と、上位横架材から鉛直垂下姿勢に一体化されてなる下向き鋼管短柱との間を、それら双方の短柱外周壁の全周囲を、互いに縦筒状を成すよう組み合わされて囲む複数本の縦鎧枠の下端がわは、当該上向き鋼管短柱に結合、一体化され、それら複数本の縦鎧枠の上端がわは、当該下向き鋼管短柱に結合、一体化され、これら上向き鋼管短柱、下向き鋼管短柱および複数本の縦鎧枠により、鉄骨軸組構造体における柱相当軸組材が構成されてなるものとしなければならない。
【００１９】
さらに具体的には、下位横架材である敷き土台と上位横架材となる組階間梁との間か、下階の下位横架材となる組階間梁と上階の上位横架材となる組階間梁との間か、または、下位横架材となる組階間梁と上位横架材である組天井梁との間かの少なくとも何れか一箇所に、この発明の特徴的構成を有した柱相当軸組材が組み込まれてなるものであり、下位横架材である敷き土台の短柱有土台、上位横架材および下位横架材の機能を兼ねた組階間梁の短柱有階間梁、および、上位横架材である組天井梁の短柱有天井梁は、何れも水平な上壁および下壁を有する鋼製横架材からなり、短柱有土台は、その上外壁面に上向き鋼管短柱の基端が垂直立姿勢に一体化されたものとしなければならず、短柱有階間梁は、その上外壁面に上向き鋼管短柱の基端が垂直立姿勢に一体化されると共に、下外壁面に下向き鋼管短柱の基端が鉛直垂下姿勢に一体化されたものとし、短柱有天井梁は、その下外壁面に下向き鋼管短柱の基端が鉛直垂下姿勢に一体化されたものとしなければならず、敷き土台の短柱有土台、組階間梁の短柱有階間梁、および、組天井梁の短柱有天井梁は、何れも水平な上壁および下壁を有する角型鋼製横架材からなるものとすることができる外、後述する実施例にも示しているように、横架材は、垂直なウェブ壁の上端に上フランジ壁、同ウェブ壁の下端に下フランジ壁を有するＨ型鋼横架材とすることができる。
【００２０】
上向き鋼管短柱は、この発明の柱相当軸組材の一部をなす機能を分担し、下位横架材から垂直立設姿勢に一体化されてなるものとしなければならず、より具体的に示すと、鉄骨軸組構造建造物の敷き土台の短柱有土台、または、組階間梁の短柱有階間梁の上外壁面に対し、縦鎧枠の下端がわを充分な強度をもって直角に結合可能とする機能を分担するものであり、下位横架材である敷き土台の短柱有土台、または、下位横架材となる組階間梁の短柱有階間梁の上外壁面に対し、垂直姿勢に立設されたものとしなければならず、短柱有土台または短柱有階間梁の上外壁面の幅寸法範囲内に収まる平面外寸の平面断面形状に設定された鋼管製のものとすべきであり、上下方向の全長が鉄骨軸組構造建造物の柱相当軸組材の全長寸法の１／２ないし１／１０に設定されたものとするのが望ましく、後述する実施例にも示すように、短柱有土台または短柱有階間梁の上外壁面の幅寸法範囲内に収まる仮想対角線をもつ正方形断面形状に設定された角鋼管製であって、上下方向の全長が鉄骨軸組構造建造物の柱相当軸組材の全長寸法の１／２ないし１／１０に設定されたものとするのが良い。
【００２１】
下向き鋼管短柱は、この発明の柱相当軸組材の一部をなす機能を分担し、上位横架材から鉛直垂下姿勢に一体化されてなるものとしなければならず、より具体的に示すと、鉄骨軸組構造建造物の組階間梁の短柱有階間梁、または、組天井梁の短柱有天井梁の下外壁面に対し、縦鎧枠の上端がわを充分な強度をもって直角に結合可能とする機能を分担するものであり、上位横架材となる組階間梁の短柱有階間梁、または、上位横架材である組天井梁の短柱有天井梁の下外壁面に対し、鉛直姿勢に垂下されたものとしなければならず、短柱有階間梁または短柱有天井梁の下外壁面の幅寸法範囲内に収まる平面外寸の平面断面形状に設定された鋼管製のものとすべきであり、上下方向の全長が鉄骨軸組構造建造物の柱相当軸組材の全長寸法の１／２ないし１／１０に設定されたものとするのが望ましく、後述する実施例にも示すが、短柱有階間梁または短柱有天井梁の下外壁面の幅寸法範囲内に収まる仮想対角線をもつ正方形断面形状に設定された角鋼管製であって、上下方向の全長が鉄骨軸組構造建造物の柱相当軸組材の全長寸法の１／２ないし１／１０に設定されたものとするのが良い。
【００２２】
上向き鋼管短柱および下向き鋼管短柱は、夫々の上下方向の全長が、鉄骨軸組構造建造物の柱相当軸組材の全長寸法の１／２ないし１／１０に設定されたものとするのが望ましく、鉄骨軸組構造建造物の柱相当軸組材の全長寸法の１／２の長さを超えると、組み立て後に鉄骨軸組構造建造物の設計上の柱相当軸組材の全長寸法を超えてしまい、鉄骨軸組構造建造物の柱相当軸組材の全長寸法の１／１０の長さ未満となると、縦鎧枠との接合可能範囲が極端に小さくなり、充分な連結強度が得られない虞があるといる理由があり、より望ましくは、上向き鋼管短柱および下向き鋼管短柱は、夫々の上下方向の全長が鉄骨軸組構造建造物の柱相当軸組材の全長寸法の１／３ないし１／８に設定されたものとするのが良く、鉄骨軸組構造建造物の設計上の柱相当軸組材の全長寸法の１／３の長さを超えると、短柱有土台、短柱有階間梁または短柱有天井梁の小型化の効果が得られ難く、鉄骨軸組構造建造物の柱相当軸組材の全長寸法の１／８の長さ未満になると、縦鎧枠との接合可能範囲が小さくなり、連結強度を高めるのが難しいといる理由があり、後述する実施例にも示しているように、上向き鋼管短柱および下向き鋼管短柱は、夫々の上下方向の全長が鉄骨軸組構造建造物の柱相当軸組材の全長寸法の１／６に設定されたものにすると、短柱有土台、短柱有階間梁または短柱有天井梁の小型化の効果を充分に得られると共に、縦鎧枠との接合可能範囲を広く確保し、優れた連結強度が得られるものになるということができる。
【００２３】
また、上向き鋼管短柱および下向き鋼管短柱は、夫々の先端がわ寄りに、縦鎧枠が結合するための鎧枠結合範囲が設定されたものとし、上向き鋼管短柱および下向き鋼管短柱の夫々の先端がわ寄りに設定された鎧枠結合範囲は、縦鎧枠が結合するのに必要とされる結合構造が設けられたものとするのが望ましく、例えば、後述する実施例にも示すように、上向き鋼管短柱（または下向き鋼管短柱）の正方形断面形状の仮想対角線上に貫通する、水平な貫通孔が穿設され、該貫通孔にボルトが装着され、縦鎧枠が結合されたものとすることが可能である外、上向き鋼管短柱（または下向き鋼管短柱）の正方形断面形状の平行に対峙する２壁に貫通する、水平な貫通孔が穿設され、該貫通孔にボルトが装着され、縦鎧枠が結合されたものとすることが可能であり、さらにまた、上向き鋼管短柱（または下向き鋼管短柱）の平面断面形状が円形、楕円形、多角形、その他の筒型形状の場合には、何れかの直径方向に貫通する、水平な貫通孔が穿設され、該貫通孔にボルトが装着され、縦鎧枠が結合されたものとすることが可能である。
【００２４】
縦鎧枠は、この発明の基本をなす柱相当軸組材の一部をなし、上向き鋼管短柱と、下向き鋼管短柱とを繋ぎ合わせる機能を担い、上向き鋼管短柱および下向き鋼管短柱の双方の平面断面形状の外周壁の一部に沿って嵌合する断面形の嵌合枠部を有するものとされ、複数本の縦鎧枠が、上向き鋼管短柱の基端付近から、下向き鋼管短柱の基端付近までの距離に一致された上下方向の長さ寸法に設定されたものとするのが望ましく、より具体的には、柱相当軸組材の一部となり、上向き鋼管短柱の鎧枠結合範囲、および、下向き鋼管短柱の鎧枠結合範囲の双方の平面断面形状の外周壁の一部に沿って嵌合する断面形の嵌合枠部を有するものとされ、複数本の縦鎧枠が、上向き鋼管短柱の先端寄りに設定された鎧枠結合範囲の基端から、該下向き鋼管短柱の先端寄りに設定された鎧枠結合範囲の基端までの距離に一致された上下方向の長さ寸法に設定され、上向き鋼管短柱の鎧枠結合範囲と、下向き鋼管短柱の鎧枠結合範囲とを繋ぎ合わせ可能とされたものとするようにするのが良いと言える。
【００２５】
それは、後述する実施例にも示しているように、上向き鋼管短柱および下向き鋼管短柱の夫々が、仮想対角線をもつ正方形断面形状に設定された角鋼管製の場合に、下位横架材である短柱有土台、または、下位横架材となる短柱有階間梁の何れか一方の上向き鋼管短柱の先端寄りに設定された鎧枠結合範囲と、該下位横架材である短柱有土台または該下位横架材となる短柱有階間梁の何れか一方の上向き鋼管短柱と同じ柱相当軸組材の仮想軸線上に対峙するよう配された、上位横架材となる短柱有階間梁、または、上位横架材である短柱有天井梁の何れか一方の下向き鋼管短柱の先端寄りに設定された鎧枠結合範囲との間に、双方の水平正方形断面形状の外周壁の一角部に沿って嵌合する平面Ｖ字断面形の嵌合枠部を有し、該上向き鋼管短柱の先端寄りに設定された鎧枠結合範囲の基端から、該下向き鋼管短柱の先端寄りに設定された鎧枠結合範囲の基端までの距離に一致された上下方向の長さ寸法に設定された４本の縦鎧枠が、双方の水平正方形断面形状の外周壁の全周囲を囲むよう上下に掛け渡された状態に結合され、該上向き鋼管短柱、該下向き鋼管短柱および該４本の縦鎧枠からなり、鉄骨軸組構造建造物の柱相当軸組材が設けられたものとすることができる。
【００２６】
また、縦鎧枠は、後述する実施例にも示しているように、上向き鋼管短柱の鎧枠結合範囲、および、下向き鋼管短柱の鎧枠結合範囲の水平断面形状が正方形状の場合に、該正方形断面形状の外壁角に嵌合可能な平面Ｖ字断面形とされた嵌合枠部を有し、４本の縦鎧枠が、夫々平面Ｖ字断面形の嵌合枠部の水平方向の両端から、上向き（または下向き）角鋼管短柱の外壁面に対し直角姿勢となる補強壁部が、該嵌合枠部を含めると平面Ｗ字断面形となるよう延伸され、さらに、各補強壁部の水平方向の端から、該嵌合枠部が嵌合する向き（または下向き）角鋼管短柱の角を通る対角線に平行姿勢となる壁材保持部が、該嵌合枠部の平面Ｖ字断面形の山折り方向に延伸されてなるものとされ、上向き鋼管短柱の先端寄りに設定された鎧枠結合範囲と、該上向き鋼管短柱に対して同じ柱相当軸組材の仮想軸線上に一致された下向き鋼管短柱の先端寄りに設定された鎧枠結合範囲との間に掛け渡され、双方の正方形断面形状の外周壁の全周囲を囲むよう、着脱可能に結合されてなるものとすることができる。
【００２７】
縦鎧枠の嵌合枠部は、上向き鋼管短柱および下向き鋼管短柱の外周壁に嵌合状に装着され、上向き鋼管短柱および下向き鋼管短柱の仮想軸線の周回りの、縦鎧枠の回転移動を阻止可能とし、柱相当軸組材の捻れ剛性を向上する機能を分担し、上向き鋼管短柱の鎧枠結合範囲、および、下向き鋼管短柱の鎧枠結合範囲の水平断面形状が正方形状の場合に、鎧枠結合範囲の外周壁の角部分に外側から嵌合する形状とされたものとしなければならず、後述する実施例にも示しているとおり、山型に折曲された谷がわの壁面が、鎧枠結合範囲の外周壁の角部分に接合する形状および寸法に設定されたものとするのが良く、縦鎧枠の少なくとも鎧枠結合範囲に対応する上下端に設けられたものとしなければならず、縦鎧枠の上下端間の全長に渡って同じ水平断面形状のものとすることができる外、鎧枠結合範囲に対応する上下間範囲を超えて設けられたものとすることができ、例えば、縦鎧枠の上下間中途部分の水平断面形状が、円弧形状のものや、多角形状の一部を成す形状のものなどとすることが可能である。
【００２８】
縦鎧枠の補強壁部は、嵌合枠部から上向き鋼管短柱および下向き鋼管短柱（柱相当軸組材の仮想軸線の水平方向の求心がわ）とは反対がわとなる水平方向の外がわ（柱相当軸組材の仮想軸線の水平方向の遠心がわ）に向けて延伸され、縦鎧枠の剛性を強化する機能を分担し、縦鎧枠の上下端間の全長に渡って設けられたものとすべきであり、嵌合枠部の水平方向の両端から延伸されたものとするのが良く、隣接配置された縦鎧枠の互いの補強壁部が互いに接合され、互いに支持しあう形状のものとするのが望ましく、さらに、隣接配置された縦鎧枠の互いの補強壁部同士が、溶接、熔着、スポット溶接、蝋付け、接着剤またはリベットなどによって結合されたものとすることができる。
【００２９】
縦鎧枠の壁材保持部は、縦鎧枠を介して、柱相当軸組材に対し、壁面パネルを装着可能とする機能を担っており、壁面パネルを充分な強度を持って保持可能な形状および寸法のものとしなければならず、室内断熱パネルまたは室外断熱パネルの少なくとも何れか一方を装着可能なものとするのが良く、縦鎧枠の上下端間の複数箇所に、例えば、板厚方向に穿設された貫通孔やネジ孔、係合用の爪、粘着テープ、その他の何れかからなる壁面パネル用の保持機構が点在状に設けられたものとすることができる外、後述する実施例にも示しているが、縦鎧枠の上下端間の全長に渡って同一水平断面形状の縦リブ状のものとして設けられ、縦鎧枠の上下端間の剛性をさらに高める機能が付加されたものとすることができる。
【００３０】
加えて、縦鎧枠の下端がわが、上向き鋼管短柱に、また、上端がわが、下向き鋼管短柱に結合される構造は、後述する実施例には、ボルト・ナット結合によるものとしているが、溶接、熔着、スポット溶接、蝋付け、接着剤またはリベットなどによる結合に置き換え、または、それらの結合構造部分が併設されたものとすることが可能であり、さらにまた、４本の縦鎧枠が、筒状に組み合わせられた場合に、隣接し互いに接合状となる補強壁部同士が、互いに、溶接、熔着、スポット溶接、蝋付け、接着剤、リベットまたはボルト・ナットなどの何れかの結合構造、または、それらの結合構造部分が併設されたものによってより強固に一体化されたものとすることが可能である。
【００３１】
また、複数本の縦鎧枠は、上向き鋼管短柱と下向き鋼管短柱との間に、縦筒状を成すよう組み合わされたものとしなければならず、後述する実施例には、正方形断面形状の管体からなる上向き鋼管短柱および下向き鋼管短柱の間に、４本の縦鎧枠が、縦筒状を成すよう組み合わされたものを示しているが、２本または３本の何れか一方の本数の縦鎧枠が、縦筒状に組み合わせられたものとすることができる外、５本以上の本数の縦鎧枠が、縦筒状に組み合わせられたものとすることができ、上向き鋼管短柱および下向き鋼管短柱の水平断面形状および外周囲寸法などの種々の条件に応じて、適する本数が縦筒状に組み合わせられたものとするのが望ましく、表現を変えて示すならば、例えば、水平断面形状が正六角形の上向き鋼管短柱および下向き鋼管短柱の間に、２本、３本または６本の何れか一の本数の縦鎧枠が、縦筒状に組み合わせられたものとすることができる外、水平断面形状が正八角形の上向き鋼管短柱および下向き鋼管短柱の間に、２本、４本または８本の何れか一の本数の縦鎧枠が、縦筒状に組み合わせられたものとすることができ、換言すると、水平断面形状が正多角形の上向き鋼管短柱および下向き鋼管短柱の間に、２本、正多角形の角数が３で割り切れる場合には、正多角形の角数の１／３の本数、正多角形の角数の１／２（整数で割りきれる場合）の本数、または、正多角形の角数と同じ本数の何れか一の本数の縦鎧枠が、縦筒状に組み合わせられたものとすることができる。
【００３２】
さらにまた、複数本の縦鎧枠は、鉄骨軸組構造建造物に組み込まれた設置姿勢における上下方向（柱相当軸組材の仮想軸線方向）の断面形状が、嵌合枠部および補強壁部からなる（壁材保持部を持たない）水平断面Ｗ字形のものに設定され、個々に分解された部品の状態にあっては、互いに金属板の厚み方向に重ね合わせられ、コンパクトな状態に保管または輸送することが可能とされたものとすることができる。
【００３３】
この発明の基本をなす柱相当軸組材が設けられた鉄骨軸組構造建造物は、後述する実施例に示すように、該柱相当軸組材が組み込まれた１階の鉄骨軸組構造体、該柱相当軸組材が組み込まれた２階の鉄骨軸組構造体、該柱相当軸組材が組み込まれた中間階の鉄骨軸組構造体、または、該柱相当軸組材が組み込まれた最上階の鉄骨軸組構造体の中の少なくとも何れか一が組み込まれたものであるとすることができる。
以下では、図面に示すこの発明を代表する実施例と共に、その構造について詳述することとする。                                                                                                                          
【図面の簡単な説明】
【００３４】
図面は、この発明の鉄骨軸組構造建造物の技術的思想を具現化した代表的な幾つかの実施例を示すものである。
【図１】横架材間の柱相当軸組材の一部を示す斜視図である。
【図２】上向き鋼管短柱と下向き鋼管短柱とを有する短柱有階間梁の一例を示す斜視図である。
【図３】短柱有階間梁および分解状態の縦鎧枠の一部を示す斜視図である。
【図４】柱相当軸組材を断面化して示す正面図である。
【図５】Ｈ型鋼横架材および柱相当軸組材を一部断面化して示す正面図である。
【図６】上向き鋼管短柱および下向き鋼管短柱間に設けられた縦鎧枠を示す斜視図である。
【図７】水平筋交いおよび垂直筋交いを示す平面図である。
【図８】柱相当軸組材を断面化して示す平面図である。
【図９】柱相当軸組材の変形例を断面化して示す平面図である。
【図１０】柱相当軸組材のさらに別の変形例を断面化して示す平面図である。
【図１１】１階および２階の鉄骨軸組構造体を有する鉄骨軸組構造建造物を示す斜視図である。
【図１２】１階および２階の鉄骨軸組構造体を有する鉄骨軸組構造建造物を示す正面図である。
【図１３】１階および２階の鉄骨軸組構造体を有する鉄骨軸組構造建造物を示す側面図である。
【図１４】鉄骨軸組構造建造物を示す平面図である。
【実施例１】
【００３５】
図１ないし図１４に示す事例は、鉄骨軸組構造体２において上下に並行する横架材３，４，５間に立設される柱相当軸組材６が、下位横架材３，４から垂直立設姿勢に一体化されてなる上向き鋼管短柱６０と、上位横架材４，５から鉛直垂下姿勢に一体化されてなる下向き鋼管短柱６１との間を、それら双方の短柱外周壁の全周囲を、互いに縦筒状を成すよう組み合わされて囲む複数本の縦鎧枠７，７，……の下端がわは、当該上向き鋼管短柱６０に結合、一体化され、それら複数本の縦鎧枠７，７，……の上端がわは、当該下向き鋼管短柱６１に結合、一体化され、これら上向き鋼管短柱６０、下向き鋼管短柱６１および複数本の縦鎧枠７，７，……により、鉄骨軸組構造体２における柱相当軸組材６が構成されてなるものとした、この発明の鉄骨軸組構造建造物における代表的な一実施例を示すものである。
【００３６】
それら各図からも明確に把握できるとおり、この発明の柱相当軸組材６は、この発明の鉄骨軸組構造建造物１に対して組み込まれたものとなっており、鉄骨軸組構造建造物１の敷き土台３、組階間梁４、組天井梁５となる横架材は、高さ２００ｍｍ、厚さ５．５ｍｍの垂直なウェブ壁Ｗの上端に、幅寸法ＳＷが１００ｍｍ、厚さ５．５ｍｍの上フランジ壁ＵＷ、同ウェブ壁Ｗの下端に、幅寸法ＳＷが１００ｍｍ、厚さ５．５ｍｍの下フランジ壁ＡＷが一体化されたＨ型鋼横架材ＳＴからなり、該Ｈ型鋼横架材ＳＴが、鉄骨軸組構造建造物１の下位横架材である敷き土台３の短柱有土台３０は、当該Ｈ型鋼横架材ＳＴの上フランジ壁ＵＷの外壁面の柱相当軸組材６が設けられることとなる複数箇所に対し、当該Ｈ型鋼横架材ＳＴの上・下フランジ壁ＵＷ，ＡＷの幅寸法範囲（ＳＷ：１００ｍｍ）内に収まる仮想対角線寸法ＤＬ（ＤＬ：約８４．８５ｍｍ）をもつ１辺が６０ｍｍの正方形断面形状に設定された角鋼管製であって、上下方向の全長６Ｌが鉄骨軸組構造建造物１の柱相当軸組材６の全長寸法Ｈ（２，８００ｍｍ）の１／２ないし１／１０の中の約１／６（６Ｌ：５００ｍｍ）に設定された上向き鋼管短柱６０の基端が、該上向き鋼管短柱６０の正方形断面形状の仮想対角線Ｄが、鉄骨軸組構造建造物１の敷き土台３となるＨ型鋼横架材ＳＴの梁間方向Ｘおよび桁行方向Ｙに一致され、該上向き鋼管短柱６０の側壁面が、鉄骨軸組構造建造物１の敷き土台３となるＨ型鋼横架材ＳＴの梁間方向Ｘおよび桁行方向Ｙに対し、４５°の角度ＡＧに傾斜された向きとなるよう、柱相当軸組材６の仮想軸線ＶＬ上に一致する垂直立姿勢に一体化されてなる短柱有土台３０とされたものとなる。
【００３７】
図２、図５および図７に示すように、当該Ｈ型鋼横架材ＳＴが、鉄骨軸組構造建造物１の下位横架材であってしかも上位横架材となる組階間梁４の短柱有階間梁４０は、当該Ｈ型鋼横架材ＳＴの上フランジ壁ＵＷの外壁面の柱相当軸組材６が設けられることとなる複数箇所に対し、当該Ｈ型鋼横架材ＳＴの上・下フランジ壁ＵＷ，ＡＷの幅寸法範囲（ＳＷ：１００ｍｍ）内に収まる仮想対角線寸法ＤＬ（ＤＬ：約８４．８５ｍｍ）をもつ１辺が６０ｍｍの正方形断面形状に設定された角鋼管製であって、上下方向の全長６Ｌが鉄骨軸組構造建造物１の柱相当軸組材６の全長寸法Ｈ（２，８００ｍｍ）の１／２ないし１／１０の中の約１／６（６Ｌ：５００ｍｍ）に設定された上向き鋼管短柱６０の基端が、該上向き鋼管短柱６０の正方形断面形状の仮想対角線Ｄが、鉄骨軸組構造建造物１の組階間梁４となるＨ型鋼横架材ＳＴの梁間方向Ｘおよび桁行方向Ｙに一致され、該上向き鋼管短柱６０の側壁面が、鉄骨軸組構造建造物１の組階間梁４となるＨ型鋼横架材ＳＴの梁間方向Ｘおよび桁行方向Ｙに対し、４５°の角度ＡＧに傾斜された向きとなるよう、柱相当軸組材６の仮想軸線ＶＬ上に一致する垂直立姿勢に一体化される。
【００３８】
そして、該Ｈ型鋼横架材ＳＴの下フランジ壁ＡＷの外壁面の柱相当軸組材６が設けられることとなる複数箇所に対し、該Ｈ型鋼横架材ＳＴの上・下フランジ壁ＵＷ，ＡＷの幅寸法範囲（ＳＷ：１００ｍｍ）内に収まる仮想対角線寸法ＤＬ（ＤＬ：約８４．８５ｍｍ）をもつ１辺が６０ｍｍの正方形断面形状に設定された角鋼管製であって、上下方向の全長６Ｌが鉄骨軸組構造建造物１の柱相当軸組材６の全長寸法の１／２ないし１／１０の中の約１／６（６Ｌ：５００ｍｍ）に設定された下向き鋼管短柱６１の基端が、該下向き鋼管短柱６１の正方形断面形状の仮想対角線Ｄが、鉄骨軸組構造建造物１の組階間梁４となるＨ型鋼横架材ＳＴの梁間方向Ｘおよび桁行方向Ｙに一致され、該下向き鋼管短柱６１の側壁面が、鉄骨軸組構造建造物１の組階間梁４となるＨ型鋼横架材ＳＴの梁間方向Ｘおよび桁行方向Ｙに対し、４５°の角度ＡＧに傾斜された向きとなるよう、柱相当軸組材６の仮想軸線ＶＬ上に一致する鉛直垂下姿勢に一体化されてなる短柱有階間梁４０とされたものとなる。
【００３９】
また、図１１および図１２に示すように、鉄骨軸組構造建造物１の上位横架材である組天井梁５の短柱有天井梁５０は、Ｈ型鋼横架材ＳＴの下フランジ壁ＡＷの外壁面の柱相当軸組材６が設けられることとなる複数箇所に対し、該Ｈ型鋼横架材ＳＴの上・下フランジ壁ＵＷ，ＡＷの幅寸法範囲（ＳＷ：１００ｍｍ）内に収まる仮想対角線寸法ＤＬ（ＤＬ：約８４．８５ｍｍ）をもつ１辺が６０ｍｍの正方形断面形状に設定された角鋼管製であって、上下方向の全長６Ｌが鉄骨軸組構造建造物１の柱相当軸組材６の全長寸法Ｈ（２，８００ｍｍ）の１／２ないし１／１０の中の約１／６（６Ｌ：５００ｍｍ）に設定された下向き鋼管短柱６１の基端が、該下向き鋼管短柱６１の正方形断面形状の仮想対角線Ｄが、鉄骨軸組構造建造物１の組天井梁５となるＨ型鋼横架材ＳＴの梁間方向Ｘおよび桁行方向Ｙに一致され、該下向き鋼管短柱６１の側壁面が、鉄骨軸組構造建造物１の組天井梁５となるＨ型鋼横架材ＳＴの梁間方向Ｘおよび桁行方向Ｙに対し、４５°の角度ＡＧに傾斜された向きとなるよう、柱相当軸組材６の仮想軸線ＶＬ上に一致する鉛直垂下姿勢に一体化されてなる短柱有天井梁５０とされたものとなる。
【００４０】
図１ないし図８に示すように、短柱有土台３０の上向き鋼管短柱６０、短柱有階間梁４０の上向き鋼管短柱６０・下向き鋼管短柱６１、および、短柱有天井梁５０の下向き鋼管短柱６１の、夫々の基端寄りの範囲（１００ｍｍ）を除く先端寄りに鎧枠結合範囲６ａ（４００ｍｍ）が設定され、上下方向の全長６Ｌの中、基端から１５０ｍｍ,１２５ｍｍ,１２５ｍｍの間隔毎となる上下間３箇所に、正方形断面形状の（Ｈ型鋼横架材ＳＴの梁間方向Ｘに一致する）仮想対角線Ｄ方向に貫通するＭ−１２の通しボルトＢＮが装着可能な貫通孔６ｂが穿設され、また、柱相当軸組材６の仮想軸線ＶＬの回りに９０°となる正方形断面形状の（Ｈ型鋼横架材ＳＴの桁行方向Ｙに一致する）仮想対角線Ｄ方向には、基端から１８０ｍｍ,１２５ｍｍ,１２５ｍｍの間隔毎となる上下間３箇所に貫通するＭ−１２の通しボルトＢＮが、平面十字状に干渉せずに、上下にずらされて交叉するよう装着可能な貫通孔６ｂが穿設されたものとなっている。
【００４１】
短柱有土台３０、短柱有階間梁４０または短柱有天井梁５０となるＨ型鋼横架材ＳＴは、同一平面上に矩形枠状に組み合わされる場合に１本のＨ型鋼横架材ＳＴに、他の１本のＨ型鋼横架材ＳＴの端部が、突き合わせられた状態に結合されることとなり、該１本のＨ型鋼横架材ＳＴの、他の１本のＨ型鋼横架材ＳＴの端部が、突き合わせられることとなる側部には、ウェブ壁Ｗの一側面、下フランジ壁ＡＷの上面、および、上フランジ壁ＵＷの下面に渡って直角に配されたガセットプレートＧＰが一体に設けられ、該ガセットプレートＧＰを介して他の１本のＨ型鋼横架材ＳＴの端部が、複数本の図示しないボルト・ナットによって結合されたものとなり、図示していないが、該ガセットプレートＧＰによる結合に加え、さらに、上フランジ壁ＵＷ,ＵＷ同士、または、下フランジ壁ＡＷ,ＡＷ同士の少なくとも何れか一方の両者間に、連結板が跨がり重ね合わせ状に配され、それら上フランジ壁ＵＷ,ＵＷ、または、下フランジ壁ＡＷ,ＡＷの少なくとも何れか一方、および、該連結板に貫通された複数本のボルト・ナットにより、一層強固に一体化されたものとすることができる。
【００４２】
下位横架材である該短柱有土台３０、または、下位横架材となる短柱有階間梁４０の何れか一方における上向き鋼管短柱６０の先端寄りに設定された鎧枠結合範囲６ａと、該短柱有土台３０または短柱有階間梁４０の何れか一方における上向き鋼管短柱６０と同じ柱相当軸組材６の仮想軸線ＶＬ上に対峙するよう配された、上位横架材となる短柱有階間梁４０、または、上位横架材である短柱有天井梁５０の何れか一方における下向き鋼管短柱６１の先端寄りに設定された鎧枠結合範囲６ａとの間に、双方の水平正方形断面形状の外周壁の一角部に沿って嵌合する平面Ｖ字断面形の嵌合枠部７０を有し、上向き鋼管短柱６０の先端寄りに設定された鎧枠結合範囲６ａの基端から、該下向き鋼管短柱６１の先端寄りに設定された鎧枠結合範囲６ａの基端までの距離に一致された上下方向の長さ寸法ｈ（図１３に示す）に設定された４本の縦鎧枠７,７,……が、双方の鎧枠結合範囲６ａ,６ａの水平正方形断面形状の外周壁の全周囲を囲むよう上下に掛け渡された状態に結合されている。
【００４３】
より具体的には、４本の縦鎧枠７,７,……が、夫々の少なくとも上下端に、上向き鋼管短柱６０または下向き鋼管短柱６１の何れか対応する一方の鎧枠結合範囲６ａ，６ａの外角に嵌合可能な平面Ｖ字断面形の嵌合枠部７０を有しており（嵌合枠部７０は、図１ないし図６に示すように、縦鎧枠７の全長に渡って設けられたものとすることができる外、上下両端の鎧枠結合範囲６ａ，６ａに対応する範囲のみに設けられたものや、上下両端の鎧枠結合範囲６ａ，６ａに対応する範囲を上回る範囲に設けられたものなどとすることが可能である。）、さらに具体的に示すと、夫々が平面Ｖ字断面形の一辺が水平方向に３０ｍｍとされた嵌合枠部７０の水平方向の両端から、上向き鋼管短柱６０および下向き鋼管短柱６１の外壁面に対し直角姿勢となる補強壁部７１,７１が、該嵌合枠部７０を含めると平面Ｗ字断面形となるよう延伸され、さらに、各補強壁部７１,７１の水平方向の両端から、該嵌合枠部７０が嵌合する上向き鋼管短柱６０および下向き鋼管短柱６１の角を通る対角線に平行姿勢となる水平方向の基部から先端までの長さが３０ｍｍの壁材保持部７２，７２が、該嵌合枠部７０の平面Ｖ字断面形の山折り方向に延伸されてなるものとされ、該１個の縦鎧枠７の両端に設けられた壁材保持部７２，７２の水平方向の外側壁間の間隔ＳＷが、Ｈ型鋼横架材ＳＴの上・下フランジ壁ＵＷ，ＡＷの幅寸法範囲（ＳＷ：１００ｍｍ）と同じ１００ｍｍに設定（図7、図８参照）されたものとする。
【００４４】
そして、１組をなす４本の縦鎧枠７,７,……の中、対峙して配されることとなる２本の縦鎧枠７,７の上下端がわの、上向き鋼管短柱６０の鎧枠結合範囲６ａに接合される範囲と、下向き鋼管短柱６１の鎧枠結合範囲６ａに接合される範囲との夫々に、上向き鋼管短柱６０の鎧枠結合範囲６ａの貫通孔６ｂ,６ｂ,６ｂに一致する貫通孔７ａ,７ａ,７ａ、および、下向き鋼管短柱６１の鎧枠結合範囲６ａの貫通孔６ｂ,６ｂ,６ｂに一致する貫通孔７ａ,７ａ,７ａが夫々穿設され、また、１組をなす４本の縦鎧枠７,７,……の中の別の、対峙して配されることとなる２本の縦鎧枠７,７の上下端がわの、上向き鋼管短柱６０の鎧枠結合範囲６ａに接合される範囲と、下向き鋼管短柱６１の鎧枠結合範囲６ａに接合される範囲との夫々に、上向き鋼管短柱６０の鎧枠結合範囲６ａの前記のものとは上下何れかにずらして配された貫通孔６ｂ,６ｂ,６ｂに一致する貫通孔７ａ,７ａ,７ａ、および、下向き鋼管短柱６１の鎧枠結合範囲６ａの前記のものとは上下何れかにずらして配された貫通孔６ｂ,６ｂ,６ｂに一致する貫通孔７ａ,７ａ,７ａが夫々穿設されたものとなっている。
【００４５】
また、４本の縦鎧枠７,７,……は、上向き鋼管短柱６０の先端寄りに設定された鎧枠結合範囲６ａと、該上向き鋼管短柱６０に対して同じ柱相当軸組材６の仮想軸線ＶＬ上に一致された下向き鋼管短柱６１の先端寄りに設定された鎧枠結合範囲６ａとの間に掛け渡され、双方の正方形断面形状の外周壁の全周囲を囲むよう配置され、各貫通孔７ａ,７ａ,……および貫通孔６ｂ,６ｂ,……にＭ−１２の通しボルト・ナットＢＮ,ＢＮ,……が、平面十字状の配置となるよう装着され、締付け結合されたものとなり、隣合う縦鎧枠７,７,……の互いに隣接する補強壁部７１,７１同士が、縦鎧枠７,７,……同士のズレ動きを抑制するよう強く接合されたものとなり、４本の縦鎧枠７,７,……の嵌合枠部７０，７０，……が、該上向き鋼管短柱６０の鎧枠結合範囲６ａと、該下向き鋼管短柱６１の鎧枠結合範囲６ａとの外壁面を周回りに接合し、角型筒状をなして囲むよう強固に一体化されたものとなる。
【００４６】
上向き鋼管短柱６０の鎧枠結合範囲６ａと、下向き鋼管短柱６１の鎧枠結合範囲６ａとの外壁面を周回りに囲む、筒状のものとなるよう一体化された４本の縦鎧枠７,７,……は、隣合う縦鎧枠７,７,……の互いに隣接する補強壁部７１,７１同士が、溶接、熔着、スポット溶接、蝋付け、接着剤、リベットまたはボルト・ナットなどの何れかの結合構造によって強固に一体化され、該上向き鋼管短柱６０、下向き鋼管短柱６１および４本の縦鎧枠７，７，……からなり、図１３に示すように、鉄骨軸組構造建造物１の柱相当軸組材６の全長寸法Ｈ（２，８００ｍｍ）に相当する柱相当軸組材６が設けられたものとなる。
【００４７】
また、図９に示すように、柱相当軸組材６は、上向き鋼管短柱６０、下向き鋼管短柱６１および２本の縦鎧枠７，７からなるものとすることが可能であり、より具体的には、縦鎧枠７が、上向き鋼管短柱６０および下向き鋼管短柱６１の鎧枠結合範囲６ａ，６ａの仮想対角線Ｄに一致する外壁面の一角部に嵌合するよう、平面Ｖ字断面形とされ、その一辺が６０ｍｍに設定された嵌合枠部７０を有し、該嵌合枠部７０の水平方向の頂部には、上向き鋼管短柱６０および下向き鋼管短柱６１の鎧枠結合範囲６ａ，６ａの各貫通孔６ｂ,６ｂ,６ｂに一致する貫通孔７ａ,７ａ,７ａが穿設され、該嵌合枠部７０の各辺の、水平方向の中央部、換言すると、頂部から水平に３０ｍｍとなる位置から、各辺に対して直角であって、該嵌合枠部７０が嵌合する上向き鋼管短柱６０および下向き鋼管短柱６１の各鎧枠結合範囲６ａ，６ａの各仮想対角線Ｄ，Ｄに対して４５°となる水平方向の角度姿勢に４０ｍｍ延伸され、さらに、平面断面形状の中途部より、先端がわがＹ字形に分岐され、各仮想対角線Ｄ，Ｄの夫々に平行する姿勢に折曲、２６ｍｍ延伸された壁材保持部７２，７２が一体に設けられ、各壁材保持部７２，７２の先端部分には、室内断熱パネルＰ０、室外断熱パネルＰ１が取り付けられたものとすることができる。
【００４８】
そして、嵌合枠部７０の水平方向の両端からは、長さ２４ｍｍの補強壁部７１,７１が、該嵌合枠部７０の嵌合する上向き鋼管短柱６０および下向き鋼管短柱６１の鎧枠結合範囲６ａの仮想対角線Ｄに対し、直交する仮想対角線Ｄに平行となる姿勢に延伸され、換言すると、各補強壁部７１,７１は、嵌合枠部７０が嵌合する上向き鋼管短柱６０または下向き鋼管短柱６１の一角部に隣接する角部の、仮想対角線Ｄに平行する姿勢に延伸され、各補強壁部７１,７１の水平方向の中央には、上下方向に沿う複数箇所に、小貫通孔ＳＨ，ＳＨ，……が穿設されており、２本の縦鎧枠７，７が、上向き鋼管短柱６０および下向き鋼管短柱６１の鎧枠結合範囲６ａ，６ａの間に掛け渡された上、貫通孔６ｂ,６ｂ,６ｂ，……７ａ,７ａ,７ａ，……に、Ｍ−１２の通しボルトＢＮ，ＢＮ，……が装着、緊締されたものとなり、さらに、各縦鎧枠７，７の互いに接合された補強壁部７１,７１，……の各小貫通孔ＳＨ，ＳＨ，……に、小ボルト・ナットＳＢ，ＳＢ，……が装着、緊締され、上向き鋼管短柱６０および下向き鋼管短柱６１の鎧枠結合範囲６ａ，６ａの外周壁の全周囲を、互いに縦筒状を成すよう組み合わされて囲むものとされたものとすることが可能である。
【００４９】
また、図１０に示すように、柱相当軸組材６の４本の縦鎧枠７，７，……は、上向き鋼管短柱６０および下向き鋼管短柱６１が、それらの正方形断面形状の平行する２側壁面が、鉄骨軸組構造建造物１の梁間方向Ｘまたは桁行方向Ｙ（図１３参照）に向けられたものとされた場合に、上向き鋼管短柱６０および下向き鋼管短柱６１が正方形断面形状の４側壁面夫々の水平方向の幅寸法の中央に、上下に配された３個のＭ−１２の通しボルトＢＮ用の貫通孔６ｂ,６ｂ,６ｂが穿設されたものとし、さらに、４本の縦鎧枠７，７，……の各嵌合枠部７０の水平方向の幅寸法を、上向き鋼管短柱６０および下向き鋼管短柱６１の正方形断面形状の一辺の寸法と同じ６０ｍｍに設定されたものとすれば、４本の縦鎧枠７，７，……の互いに隣接する各補強壁部７１,７１同士が接合された状態となり、上向き鋼管短柱６０および下向き鋼管短柱６１の鎧枠結合範囲６ａ,６ａを包囲し、互いに複数本のＭ−１２の通しボルトＢＮ,ＢＮ,……によって筒状に緊締され、上向き鋼管短柱６０、下向き鋼管短柱６１および４本の縦鎧枠７，７，……が、一本の柱相当軸組材６となるよう強固に一体化されたものとすることが可能である。
【００５０】
図１、図３、図６、図７、図１１および図１４に示すように、少なくとも４本の短柱有土台３０，３０，……、少なくとも４本の短柱有階間梁４０，４０，……、または、少なくとも４本の短柱有天井梁５０，５０，……の何れか一が、平面四角形状の少なくとも一区画ＰＣをなすよう同一水平面上に配され、互いに平行状または交叉状の何れか一方に配された短柱有土台３０，３０同士、互いに平行状または交叉状の何れか一方に配された短柱有階間梁４０，４０同士、または、互いに平行状または交叉状の何れか一方に配された短柱有天井梁５０，５０同士の、少なくとも何れか一の上フランジ壁ＵＷ,ＵＷ同士間、または、下フランジ壁ＡＷ,ＡＷ同士間の少なくとも何れか一方に対し、両端にブラケットを有し、中途部にターンバックルＴＢが設けられた水平筋交いＳ１が掛け渡たされ、ブラケットを介して溶接やボルト・ナットなどを介して結合されたものとなっている。
【００５１】
さらに、図１、図３ないし図７、および図１１ないし図１４に示すように、隣り合って配された柱相当軸組材６，６間に設けられることとなる四角形壁面の仮想対角線上に対応する、上向き鋼管短柱６０および下向き鋼管短柱６１の互いの鎧枠結合範囲６ａ,６ａよりも基端寄りとなる位置の間に、両端にブラケットを有し、中途部にターンバックルＴＢが設けられた垂直筋交いＳ２が掛け渡たされ、ブラケットを介して溶接やボルト・ナットなどを介して結合されたものとなっている。
【００５２】
（実施例１の作用・効果）
以上のとおりの構成からなるこの発明の柱相当軸組材６は、図１ないし図１４に示すように、短柱有土台３０、短柱有階間梁４０または短柱有天井梁５０の少なくとも何れか一となる全長が９００ｍｍまたは３，６００ｍｍのＨ型鋼横架材ＳＴに対し、全長６Ｌが５００ｍｍの上向き鋼管短柱６０または下向き鋼管短柱６１の少なくとも何れか一方が設けられたものとなっているから、従来型のＨ型鋼横架材ＳＴに対し、従来型の全高５，８００ｍｍの通柱が縦貫され、一体化された部品に比較して、部品工場における生産性を格段に高めると共に、組み立て精度を高精度に管理し易い上、部品の保管性、輸送性を高めることができ、しかも４本の縦鎧枠７,７,……が、上向き鋼管短柱６０および下向き鋼管短柱６１の鎧枠結合範囲６ａ,６ａ間に、筒状を成すよう組み込まれたものとなっているから、鉄骨軸組構造建造物１の施工の際に、鉄骨軸組構造体２の組み立て精度を細かく調整し易く、より高精度に建設することができるものとなる。
【００５３】
また、図８および図９に示したように、縦鎧枠７は、平面Ｖ字断面形状の嵌合枠部７０が、上向き鋼管短柱６０および下向き鋼管短柱６１の鎧枠結合範囲６ａ，６ａの外周壁の角部分に嵌合するものとされ、しかも、鎧枠結合範囲６ａ，６ａの周囲を包囲する縦筒状に強固に一体化され、仮想軸線ＶＬ回りの捻れに対する強度が格段に高められたから、一組の柱相当軸組材６に組み込まれた縦鎧枠７の数が２本または４本とされた場合にも、略同様に高い強度を確保することができるものとなり、図示していないが、５本以上の複数本が組み込まれたものの場合にも、補強壁部７１の数の増加などによって２本または４本が組み込まれたものと同等か、またはそれを超える耐久強度を達成できるものとすることが可能となる。                                                                                          
【実施例２】
【００５４】
図１ないし図１４に示す事例には、前記実施例１に示した、この発明の柱相当軸組材６を利用した鉄骨軸組構造建造物１が示されており、該鉄骨軸組構造建造物１の梁間方向Ｘおよび桁行方向Ｙに沿って設置された鉄筋コンクリート製の基礎１０を有し、該基礎１０上に沿って、複数本の短柱有土台３０，３０，……が、互いのガセットプレートＧＰを介してボルト・ナット結合され、Ｈ型鋼横架材ＳＴ,ＳＴ,……が、水平な矩形状をなすよう連結されると共に、複数本の短柱有土台３０，３０，……が、当該基礎１０に対してボルト・ナット結合され、下位横架材である敷き土台３とされたものとなっている。
【００５５】
下位横架材である敷き土台３の各短柱有土台３０，３０，……には、鉄骨軸組構造建造物１の１階の複数の柱相当軸組材６の設置箇所毎に、上向き鋼管短柱６０,６０,……が、その基端が溶接され、一体に立設されたものとなっており、敷き土台３の各短柱有土台３０，３０，……の垂直上方の鉄骨軸組構造建造物１の１階の柱相当軸組材６の全長寸法Ｈ（２，８００ｍｍ）分を隔てた高さ位置に、短柱有階間梁４０,４０，……の複数本が、互いのガセットプレートＧＰを介したボルト・ナット結合により、下位横架材である敷き土台３と同じ水平な矩形状に連結された上位横架材（下位横架材）となる組階間梁４が配され、組階間梁４の各短柱有階間梁４０,４０，……には、各短柱有土台３０，３０，……の各上向き鋼管短柱６０，６０，……の柱相当軸組材６の仮想軸線ＶＬ上に一致するよう複数本の下向き鋼管短柱６１，６１，……が、それらの基端が溶接によって垂下された姿勢に一体化されると共に、鉄骨軸組構造建造物１の２階の複数の柱相当軸組材６の設置箇所毎に上向き鋼管短柱６１，６１，……が、それらの基端が溶接によって一体に立設されたものとなっている。
【００５６】
下位横架材である敷き土台３の各短柱有土台３０，３０，……における各上向き鋼管短柱６０，６０，……の先端寄りに設定された鎧枠結合範囲６ａ,６ａ,……と、上位横架材（２階の下位横架材）となる組階間梁４の各短柱有階間梁４０，４０，……における各下向き鋼管短柱６１，６１，……の先端寄りに設定された鎧枠結合範囲６ａ,６ａ,……との間に、複数本の１階の縦鎧枠７，７，……が、敷き土台３の各短柱有土台３０，３０，……における各上向き鋼管短柱６０，６０，……、および、組階間梁４の各短柱有階間梁４０，４０，……における下向き鋼管短柱６１，６１，……の双方の平面断面形状の外周壁の全周囲を囲み、敷き土台３の各短柱有土台３０，３０，……における鎧枠結合範囲６ａ,６ａ,……から、組階間梁４の各短柱有階間梁４０，４０，……における各下向き鋼管短柱６１，６１，……の鎧枠結合範囲６ａ,６ａ,……に至る上下間に掛け渡されるようにする。
【００５７】
そして、複数本の１階の縦鎧枠７，７，……の下端が、敷き土台３の各短柱有土台３０，３０，……における各上向き鋼管短柱６０，６０，……の鎧枠結合範囲６ａ,６ａ,……に対し、Ｍ−１２の通しボルトＢＮ,ＢＮ,……によって結合され、複数本の１階の縦鎧枠７，７，……の上端が、組階間梁４の各短柱有階間梁４０，４０，……における各下向き鋼管短柱６１，６１，……の鎧枠結合範囲６ａ,６ａ,……に対し、Ｍ−１２の通しボルトＢＮ,ＢＮ,……によって結合され、敷き土台３の各短柱有土台３０，３０，……における各上向き鋼管短柱６０,６０，……、組階間梁４の各短柱有階間梁４０,４０，……における各下向き鋼管短柱６１，６１，……、および、該複数本の縦鎧枠７，７，……からなる、鉄骨軸組構造建造物１の柱相当軸組材６の全長寸法Ｈ（２，８００ｍｍ）に相当する複数本の１階の柱相当軸組材６，６，……が設けられ、当該基礎１０上に１階の鉄骨軸組構造体２０が設けられたものとなっている。
【００５８】
１階の鉄骨軸組構造体２０の下位横架材（１階の上位横架材）となる組階間梁４の上部に対し、１階の鉄骨軸組構造体２０の組階間梁４の短柱有階間梁４０,４０，……の垂直上方の鉄骨軸組構造建造物１の２階の柱相当軸組材６の全長寸法Ｈ（２，８００ｍｍ）分を隔てた高さ位置に、２階の短柱有天井梁５０,５０，……の複数本が、互いのガセットプレートＧＰを介してボルト・ナット結合により、１階の組階間梁４と同じ平面形状の水平な矩形状に連結された２階の上位横架材である組天井梁５が配され、前記１階の柱相当軸組材６，６，……と同じに組み立てられた２階の柱相当軸組材６，６，……、および、２階の上位横架材である組天井梁５からなる２階の鉄骨軸組構造体２１が結合されたものとなっている。
【００５９】
前記実施例１にも示しているが、この発明の鉄骨軸組構造建造物１は、図１、図３ないし図７および図１１ないし図１４に示すように、少なくとも４本の短柱有土台３０，３０，……、少なくとも４本の短柱有階間梁４０，４０，……、または、少なくとも４本の短柱有天井梁５０，５０，……の何れか一が、平面四角形状の少なくとも一区画ＰＣをなすよう同一水平面上に配され、互いに平行状または交叉状の何れか一方に配された短柱有土台３０，３０同士、互いに平行状または交叉状の何れか一方に配された短柱有階間梁４０，４０同士、または、互いに平行状または交叉状の何れか一方に配された短柱有天井梁５０，５０同士の、少なくとも何れか一の上フランジ壁ＵＷ,ＵＷ同士間、または、下フランジ壁ＡＷ,ＡＷ同士間の少なくとも何れか一方に対し、両端にブラケットを有し、中途部にターンバックルＴＢが設けられた水平筋交いＳ１が掛け渡たされ、ブラケットを介して溶接やボルト・ナットなどによって結合されたものとなっている。
【００６０】
より具体的には、例えば、図１４に示すように、鉄骨軸組構造建造物１の上位横架材である組天井梁５が、両端が梁間方向Ｘに向けられ、長さが１，８００ｍｍの一対の短柱有天井梁５０,５０が、桁行方向Ｙに３，６００ｍｍを隔てて平行に配され、該梁間方向Ｘに両端が向けられた長さが１，８００ｍｍの一対の短柱有天井梁５０,５０の両端間に対し、両端が桁行方向Ｙに向けられ、長さが３，６００ｍｍの一対の短柱有天井梁５０,５０が、梁間方向Ｘに１，８００ｍｍを隔てて平行に配され、平面矩形枠状に一体化された上、両端が桁行方向Ｙに向けられ、長さが３，６００ｍｍの一対の短柱有天井梁５０,５０間に、桁行方向Ｙの９００ｍｍ間隔おき毎の位置に、両端が梁間方向Ｘに向けられ、長さが１，８００ｍｍの鋼製の屋根葺き下地梁５１，５１，５１が架設されたものとなっており、各短柱有天井梁５０,５０，……および屋根葺き下地梁５１，５１，５１によって合計４個の平面区画ＰＣに仕切られ、各平面区画ＰＣの夫々には、各平面区画ＰＣの仮想対角線上となる各短柱有天井梁５０,５０，……の上フランジ壁ＵＷ,ＵＷ同士間または下フランジ壁ＡＷ,ＡＷ同士間の少なくとも何れか一方に対し、両端にブラケットを有し、中途部にターンバックルＴＢが設けられた水平筋交いＳ１が掛け渡し結合されたものとなっており、さらに、各平面区画ＰＣには、互いに平面Ｘ字状の対称配置となる一対の水平筋交いＳ１,Ｓ１が掛け渡され、ブラケットを介して溶接やボルト・ナットなどによって各短柱有天井梁５０,５０，……の上フランジ壁ＵＷ,ＵＷ同士間または下フランジ壁ＡＷ,ＡＷ同士間の少なくとも何れか一方に対し、結合されたものとすることが可能であり、該組天井梁５の上部は、図示しない屋根葺き材によって外装されたものとなっている。
【００６１】
また、隣り合って配された柱相当軸組材６，６間に設けられることとなる四角形壁面の仮想対角線上に対応する、上向き鋼管短柱６０および下向き鋼管短柱６１の互いの鎧枠結合範囲６ａ,６ａよりも基端寄りとなる位置の間に、両端にブラケットを有し、中途部にターンバックルＴＢが設けられた垂直筋交いＳ２が掛け渡たされ、両端のブラケットを介して溶接やボルト・ナットにより結合され、同一の四角形壁面の範囲内に２本がＸ字状に交叉されるよう配されたものとなっている。
【００６２】
そして、図８、図９、および図１１ないし図１４に示すように、１階の鉄骨軸組構造体２０および２階の鉄骨軸組構造体２１の、鉄骨軸組構造建造物１の梁間方向Ｘまたは桁行方向Ｙに隣接された一対の柱相当軸組材６,６の、互いに対峙する縦鎧枠７,７の壁材保持部７２,７２,……の、屋内がわに配された壁材保持部７２,７２間には、室内断熱パネルＰ０が掛け渡されて設置され、屋外がわに配された壁材保持部７２,７２間には、室外断熱パネルＰ１が掛け渡されて設置され、さらに、室外がわに露出状となる各壁材保持部７２,７２間には、図示しない外装パネルが、嵌合状に固着されたものとなる。
【００６３】
（実施例２の作用・効果）
この発明の鉄骨軸組構造建造物１は、図１ないし図１４に示すように、１階の鉄骨軸組構造体２０、２階の鉄骨軸組構造体２１、または、図示しない３階以上の場合の中間階の鉄骨軸組構造体ないし最上階の鉄骨軸組構造体の何れかに組み込み可能となる短柱有土台３０、短柱有階間梁４０および短柱有天井梁５０が、何れも同じ断面形状（同じ断面形状寸法）のＨ型鋼横架材ＳＴから製造されたものとすることが可能であり、上向き鋼管短柱６０および下向き鋼管短柱６１もまた何れも同じ正方形断面形状（同じ正方形断面形状寸法）に設定された角鋼管製のものとされ、さらに、縦鎧枠７は、鋼板のプレス成型、圧延加工または引き抜き加工などによって効率的に生産されたものとすることができるから、何れの鋼材もより経済的に調達、加工することができる上、鋼材および加工後の各部品の在庫管理の工数を大幅に削減することができるという利点が得られる上、各階の鉄骨軸組構造体２の組み立て、および、設置の手順が同じとなり、より効率的且つ正確な組み立て作業を実現化することができるものとなる。
【００６４】
（結  び）
叙述の如く、この発明の鉄骨軸組構造建造物は、その新規な構成によって所期の目的を遍く達成可能とするものであり、しかも製造も容易で、従前からの通柱が複数階に渡って縦貫された柱構造技術に比較して大幅に、部品の製造効率を高め、各部品を軽量且つ低廉化し、保管および輸送を格段に効率化する上、建設コストを削減し、遥かに経済的なものとすることができるから、従前までは部品の輸送および建設コストに多くの経費を割かなければならなかったが、こうしたコストを削減し、高品質の建築物を、格段に安全且つ経済的に建設することができるものとなり、建築資材業界および建築業界はもとより、より経済的に、耐久性に優れた建築物を建設したいと希望する企業および一般の施主などにおいても高く評価され、広範に渡って利用、普及していくものになると予想される。                                                                              
【符号の説明】
【００６５】
１      鉄骨軸組構造建造物
Ｘ      鉄骨軸組構造建造物１の梁間方向
Ｙ      鉄骨軸組構造建造物１の桁行方向
１０      基礎（鉄筋コンクリート製の基礎）
２      鉄骨軸組構造体
２０    同  １階の鉄骨軸組構造体
２１    同  ２階の鉄骨軸組構造体
３      敷き土台（下位横架材）
３０    同  短柱有土台
４      組階間梁（下位横架材、上位横架材）
４０    同  短柱有階間梁
５      組天井梁（上位横架材）
５０    同  短柱有天井梁
５１    同  屋根葺き下地梁
ＳＴ      Ｈ型鋼横架材
Ｗ    同  ウェブ壁
ＵＷ    同  上フランジ壁
ＡＷ    同  下フランジ壁
ＳＷ    同  上（下）フランジ壁の幅寸法
ＧＰ    同  ガセットプレート
ＰＣ    同  平面区画
６      柱相当軸組材
ＶＬ    同  柱相当軸組材６の仮想軸線
Ｈ    同  柱相当軸組材６の全長寸法
６０    同  上向き鋼管短柱
６１    同  下向き鋼管短柱
６ａ    同  鎧枠結合範囲
６ｂ    同  貫通孔
Ｄ    同  上（下）向き鋼管短柱６０（６１）の正方形断面形状の仮想対角線
ＤＬ    同  上（下）向き鋼管短柱６０（６１）の正方形断面形状の仮想対角線寸法
６Ｌ    同  上（下）向き鋼管短柱６０（６１）の上下方向の全長
ＡＧ    同  傾斜角度
７      縦鎧枠
７０    同  嵌合枠部
７１    同  補強壁部
７２    同  壁材保持部
ｈ    同  縦鎧枠７の上下方向の長さ寸法
７ａ    同  貫通孔
ＢＮ    同  通しボルト・ナット
ＳＨ    同  小貫通孔
ＳＢ    同  小ボルト・ナット
Ｓ１      水平筋交い
ＴＢ    同  ターンバックル
Ｓ２      垂直筋交い
Ｐ０      室内断熱パネル
Ｐ１      室外断熱パネル
【要約】      （修正有）【課題】プレハブ型の建築物の骨格用の部品の、工場生産性を高め、部品工場から施工場所までの輸送経費を節減し、しかも施工現場における建設工数を大幅に削減し、建築物の骨格の耐久強度を高めることができる新たな柱相当軸組材構造が組み込まれた鉄骨軸組構造建造物技術を提供する。【解決手段】鉄骨軸組構造体の上下に並行する横架材４，５間の柱相当軸組材６が、下位横架材４から垂直立設姿勢に一体化されてなる上向き鋼管短柱６０と、上位横架材５から鉛直垂下姿勢に一体化されてなる下向き鋼管短柱６１との間を、双方の全周囲を、互いに縦筒状を成すよう囲む複数本の縦鎧枠７，７，……の下端が、上向き鋼管短柱６０に結合、一体化され、複数本の縦鎧枠７，７，……の上端が、下向き鋼管短柱６１に結合、一体化されてなる鉄骨軸組構造建造物である。【選択図】図４【図１】
0006726379.tif 000002
【図２】
0006726379.tif 000003
【図３】
0006726379.tif 000004
【図４】
0006726379.tif 000005
【図５】
0006726379.tif 000006
【図６】
0006726379.tif 000007
【図７】
0006726379.tif 000008
【図８】
0006726379.tif 000009
【図９】
0006726379.tif 000010
【図１０】
0006726379.tif 000011
【図１１】
0006726379.tif 000012
【図１２】
0006726379.tif 000013
【図１３】
0006726379.tif 000014
【図１４】
0006726379.tif 000015